(57)【要約】【課題】バール等による抉じ開け破壊に対してフロントガードが強化された自動販売機等の防盗ロック装置を提供する。【解決手段】自動販売機等の筐体の側面前端部に固着され、前端部の支持アーム部にロック棒を固定ベースと、扉前面に対面して配置され、前記固定ベースの前記支持アーム部に対してスライド可能であり、基端部に前記支持アーム部に対面する連結アーム部を有し、前記連結アーム部に前記ロック軸が係脱するロック孔を設けてあり、先端部側の背面部に前記支持アーム部に向かって長いガイド溝を設けてあるフロントガードと、扉に固着され、抜止め頭部を前記フロントガードの前記ガイド溝に嵌合した係止部材と、前記フロントガード又は固定ベースに設けられ、前記ロック軸を前記ロック孔より脱出させて前記固定ベースに対する前記フロントガードの連結を解除させるロック機構とからなる。【選択図】図５
2011028551.tif 000002
【特許請求の範囲】
【請求項１】
自動販売機等の筐体の側面前端部に固着され、前端部の支持アーム部にロック棒を進退可能に装備してある固定ベースと、
自動販売機等の扉前面に対面して配置され、前記固定ベースの前記支持アーム部に対してスライド可能であり、基端部に前記支持アーム部に対面する連結アーム部を有し、前記連結アーム部に前記ロック軸が係脱するロック孔を設けてあり、先端部側の背面部に前記支持アーム部に向かって長いガイド溝を設けてあるフロントガードと、
自動販売機等の扉に固着され、扉前面に突出した抜止め頭部を前記フロントガードの前記ガイド溝に嵌合した係止部材と、
前記フロントガード又は固定ベースに設けられ、前記ロック軸を前記ロック孔より脱出させて前記固定ベースに対する前記フロントガードの連結を解除させるロック機構とからなる自動販売機等の防盗ロック装置。
【発明の詳細な説明】
【技術分野】
【０００１】
本発明は、自動販売機や駐車場の料金精算機等において使用される防盗ロック装置に関するものである。
【背景技術】
【０００２】
一般に街頭設置の自動販売機等においては、防犯性の向上のために通常のメインロック装置に加えて防盗ロック装置を使用している。
典型的な防盗ロック装置は、自動販売機等の筐体の側面前端部に固着され、前端部に支持アーム部を設けてある固定ベースと、自動販売機等の扉前面に対面して配置され、基端部の連結アーム部を記支持アーム部に対し枢軸ピンで連結されたフロントガードと、支持アーム部に設けられ、連結アーム部を支持アーム部に対して回動不能に錠止するロック機構とからなるものである（特許文献１参照）。
【０００３】
この従来の防盗ロック装置では、フロントガードは、連結アーム部を支持アームに枢軸ピンで連結された１点固定方式の取付け構造であるため、扉に係止されていないフロントガードの先端部と扉前面間の隙間からバールの先端部を差し込み、バールによる抉じ開け動作を行なうことによって、基端部の枢軸ピンや軸受部が歪曲変形したり切断されることによって局部的に破壊され、フロントガードと固定ベースの連結が解除される危険性がある。
【先行技術文献】
【特許文献】
【０００４】
【特許文献１】特開２００７−３３２６８３号公報
【発明の概要】
【発明が解決しようとする課題】
【０００５】
本発明の課題は、扉前面側からのバール等による抉じ開け破壊に対して強化された自動販売機等の防盗ロック装置を提供することである。
【課題を解決するための手段】
【０００６】
本発明の自動販売機等の防盗ロック装置は、自動販売機等の筐体の側面前端部に固着され、前端部の支持アーム部にロック棒を進退可能に装備してある固定ベースと、
自動販売機等の扉前面に対面して配置され、前記固定ベースの前記支持アーム部に対してスライド可能であり、基端部に前記支持アーム部に対面する連結アーム部を有し、前記連結アーム部に前記ロック軸が係脱するロック孔を設けてあり、先端部側の背面部に前記支持アーム部に向かって長いガイド溝を設けてあるフロントガードと、
自動販売機等の扉に固着され、扉前面に突出した抜止め頭部を前記フロントガードの前記ガイド溝に嵌合した係止部材と、
前記フロントガード又は固定ベースに設けられ、前記ロック軸を前記ロック孔より脱出させて前記固定ベースに対する前記フロントガードの連結を解除させるロック機構とからなるものである。
【発明の効果】
【０００７】
このように本発明の防盗ロック装置は、フロントガードを基端部の連結アーム部においてロック棒により固定ベースの前端部の支持アーム部に連結する一方、先端部側において係止部材により扉に錠止するようにした二点固定方式の取付け構造を採用しているため、バール等の抉じ開け破壊に対してフロントガードが強化され、自動販売機等の防盗性を高めることができる。
【０００８】
また、ロック機構の操作によって固定ベースに対するフロントガードの連結を解除した後、ロック軸がロック孔に対面しない位置までフロントベースをスライドさせることによって、扉を開放操作することができるのであるが、フロントガードは係止部材によって扉に保持されているため、フロントガードの落下損傷や紛失の恐れがない。
【図面の簡単な説明】
【０００９】
【図１】図１は本発明の一実施例に係る自動販売機等の防盗ロック装置の装着状態の正面図であり、扉は閉鎖施錠位置にある。
【図２】図１の防盗ロック装置の平面図である。
【図３】図１の防盗ロック装置の左側面図である。
【図４】図１の防盗ロック装置の右側面図である。
【図５】図１のＡ−Ａ線断面図である。
【図６】図１のＢ−Ｂ線断面図である。
【図７】図１の防盗ロック装置の分離状態の斜視図である。
【実施例】
【００１０】
図示の実施例では、自動販売機の扉２は左側においてヒンジ(図示していない)によって自動販売機の筐体１に枢着されている。固定ベース３は、ボルト５４によって筐体１の右側の側面前端部に固着されている。固定ベース３の前端部には前方に伸びる上下一対の支持アーム部４，５が形成されている。支持アーム部４，５には垂直方向に受孔６，７が対向位置に形成されており、受孔６，７には圧縮コイルバネ８，９によって突出方向に付勢されたロック棒１０，１１が嵌め込まれている。ロック棒１０，１１の側面より突出した位置決めピン１２，１３は、支持アーム部４，５に形成した縦長のガイドスロット１４，１５に挿入されている。
【００１１】
ロック棒１０，１１の突出量は位置決めピン１２，１３によって決定されており、ロック棒１０，１１の先端部にはカム斜面部１６，１７が形成されている。フロントガード１８の基端部には、後ろ向きに連結アーム部１９が形成されており、連結アーム部１９の左側面凹部２０には、解錠機構用ケース２１が嵌め込まれ、ボルト２２によって連結アーム部１９に締付け固着されている。
【００１２】
解錠機構用ケース２１の後端部の結合用ノーズ部２３は、前記一対の支持アーム４，５の間の結合用溝部２４に嵌め込まれている。結合用ノーズ部２４には、上下一対のロック孔２５，２６を設けてあり、ロック孔２５，２６には前記ロック棒１０，１１の先端部が係脱する。解錠機構用ケース２１には、前後方向に長いガイドスペース２７が形成され、ガイドスペース２７には、解錠用スライド板２８が収容されている。
【００１３】
解錠用スライド板２８の後端部には、スライド方向に平行な平行面部２９，３０が形成され、平行面部２９，３０の基端から斜面部３１，３２が形成されている。平行面部２９，３０には、ロック棒１０，１１がロック位置にあるとき、ロック棒１０，１１の先端部が当接する。ロック解除のためにスライド板２８が後方にスライドするとき、斜面部３１，３２がロック棒１０，１１を押すため、ロック棒１０，１１は、ロック孔２５，２６から脱出して受孔６，７に退没する。これによって、固定ベース３に対するフロントガード１８の連結が解除される。
【００１４】
上側の受孔６の上端は支持アーム部４の上面壁部３３によって閉じられており、下側の受孔７の下端開口は、連結アーム部１９の張り出し壁部３４によって被覆されている。連結アーム部１９には、張り出し壁部３４に近接した部位にロッ機構用スペース３５が形成されており、ロック機構用スペース３５に収容されたシリンダー錠３６は、固定本体の周面溝３７に係合するビス５５によって抜脱不能に固定されている。シリンダー錠３６のロータ３８の小判型軸部３９は、解錠機構用ケース２１の前記ガイドスペース２７に突出しており、一部切欠円形状のカム円盤４０が嵌合されている。カム円盤４０の偏心突起４１には、前記スライド板２８の前端部のカムスロット４２が挿入されている。
【００１５】
シリンダー錠３６のロータ３８の鍵孔に所定の鍵（図示していない）を挿入し、ロータ３８を所定方向に回すと、カム円盤４０、偏心突起４１、カムスロット４２を介してスライド板２８が、後方に駆動され、ロック棒１０，１１がロック孔２５，２６から脱出する。これによって、フロントガード１８は固定ベース３との連結を解除される。ロック棒１０，１１がロック孔２５，２６に対面しない位置まで、フロントカバー１８を横方向にスライドさせれば、扉２は開放可能な状態となる。
したがって、本実施例では、ロック棒１０，１１の駆動操作に関与するロック機構は、シリンダー錠３６、カム円盤４０、偏心突起４１、スライド板２８で構成されていることになる。
【００１６】
フロントガード１８の抉じ開け破壊に対する抵抗要素の一つである係止部材４３は、扉２の前面壁４４の透孔４５を軸部が貫通したボルトによって構成されている。このボルト型の係止部材４３にはカラー４６が嵌められ、ナット４７によって前面壁４４に締付け固着されている。係止部材４３は前面壁４４に溶接してもよく、あるいは前面壁４４に一体物として形成してもよい。係止部材４３の頭部４８が嵌め込まれるガイド溝４９は、断面Ｔ字状であり、固定ベース３の支持アーム部４，５に向かって長く形成されてある。ガイド溝４９の先端開口は、係止部材４３の頭部４８の嵌め込み後、塞ぎ材５０によって閉塞され、塞ぎ材５０はビス５１によってフロントガード１８に締付け固着される。
【００１７】
本実施例では、ロック棒１０，１１がロック孔２５，２６と対面しない位置までフロントガード１８がスライドしたとき、ロック棒１０，１１は、圧縮コイルバネ８，９の付勢によって、先端部のカム斜面部１６，１７が受孔６，７から突出した位置に即座に復帰している。扉２を閉鎖してからフロントガード１９を元の位置にスライドさせたとき、結合用ノーズ部２３のエッジ部がカム斜面部１６，１７を押すことによって、ロック棒１０，１１は再び受孔６，７内に戻され、フロントガード１８が正規位置までスライドして、受孔６，７がロック孔２５，２６に対面したとき、ロック棒１０，１１がロック孔２５，２６に押し込まれる。すなわち、本実施例では、フロントガード１８の再錠止がフロントガード１８の逆方向スライドによってワンタッチで成立し、操作が簡便に行なえる。
【００１８】
連結アーム部１９の後端部の突出壁部５２は、固定ベース３の段差肩部５３に係合し、また、連結アーム部１９の前記張り出し壁部３４は支持アーム部４の下面部に係合しており、フロントガード１８の抉じ開け破壊の抵抗要素になっている。
【符号の説明】
【００１９】
１  筐体
２  扉
３  固定ベース
４  支持アーム部
５  支持アーム部
６  受孔
７  受孔
８  圧縮コイルバネ
９  圧縮コイルバネ
１０  ロック棒
１１  ロック棒
１２  位置決めピン
１３  位置決めピン
１４  ガイドスロット
１５  ガイドスロット
１６  カム斜面部
１７  カム斜面部
１８  フロントガード
１９  連結アーム部
２０  連結アーム部の左側面凹部
２１  解錠機構用ケース
２２  ボルト
２３  結合用ノーズ部
２４  支持アームの結合用溝部
２５  ロック孔
２６  ロック孔
２７  解錠機構用ケースのガイドスペース
２８  解錠用スライド板
２９  解錠用スライド板平行面部
３０  解錠用スライド板平行面部
３１  解錠用スライド板の斜面部
３２  解錠用スライド板の斜面部
３３  支持アーム部の上面壁部
３４  連結アーム部の張り出し壁部
３５  連結アーム部のロッ機構用スペース
３６  シリンダー錠
３７  シリンダー錠の周面溝
３８  シリンダー錠のロータ
３９  ロータの小判型軸部
４０  カム円盤
４１  偏心突起
４２  解錠用スライド板のカムスロット
４３  係止部材
４４  扉の前面壁
４５  前面壁の透孔
４６  係止部材のカラー
４７  ナット
４８  係止部材の頭部
４９  フロントガードのガイド溝
５０  塞ぎ材
５１  ビス
５２  連結アーム部の突出壁部
５３  固定ベースの段差肩部
５４  ボルト
５５  ビス
【図１】
2011028551.tif 000003
【図２】
2011028551.tif 000004
【図３】
2011028551.tif 000005
【図４】
2011028551.tif 000006
【図５】
2011028551.tif 000007
【図６】
2011028551.tif 000008
【図７】
2011028551.tif 000009